(57)【要約】【課題】  プロジェクタの投影光を反射して映像を形成すると共に、プロジェクタの投影光を透過して映像を形成できるようにした反射型兼透過型液晶プロジェクタ用スクリーンを提供する。【解決手段】  プロジェクタの正面投影光が透明合成樹脂フィルム製スクリーンの前面に映像できると共に、プロジェクタの背面投影光が前記透明合成樹脂フィルム製スクリーンの前面に映像できるように、前記透明合成樹脂フィルムの光線透過率を下げたものからなるもの。【選択図】  なし【特許請求の範囲】
【請求項１】
プロジェクタの正面投影光が透明合成樹脂フィルム製スクリーンの前面に映像できると共に、プロジェクタの背面投影光が前記透明合成樹脂フィルム製スクリーンの前面に映像できるように、前記透明合成樹脂フィルムの光線透過率を下げたことを特徴とする反射型兼透過型プロジェクタ用スクリーン。
【請求項２】
前記透明合成樹脂フィルムの表面／裏面に微細凹凸面を形成して光線透過率を４０％〜８０％にしたことを特徴とする請求項１記載の反射型兼透過型プロジェクタ用スクリーン。
【請求項３】
前記透明合成樹脂フィルムの表面／裏面に淡色を形成して光線透過率を４０％〜８０％にしたことを特徴とする請求項１及び２記載の反射型兼透過型プロジェクタ用スクリーン。
【請求項４】
前記透明合成樹脂フィルムの表面／裏面に塗布するコーティング液に金属粉粒を混入して光線透過率を４０％〜８０％にしたことを特徴とする請求項２及び３記載の反射型兼透過型プロジェクタ用スクリーン。
【請求項５】
前記透明合成樹脂フィルムの表面／裏面に金属粉粒の蒸着をしたのち、微細凹凸面又は淡色を形成して光線透過率を４０％〜８０％にしたことを特徴とする反射型兼透過型プロジェクタ用スクリーン。
【発明の詳細な説明】
【技術分野】
【０００１】
本発明は、主として液晶プロジェクタの投影光を反射して映像を形成できるようにすると共に、プロジェクタの投影光を透過して映像を形成できるようにしたスクリーンに関する。
【背景技術】
【０００２】
従来、液晶プロジェクタやＤＬＰ方式プロジェクタなどに使用されているスクリーンには、スクリーンに反射して投影する反射型スクリーンと、スクリーンの背面から投影して、前面からみる透過型（リアプロジェクション型）スクリーンとがあるが、これらのスクリーンはそれぞれ外観や素材などに異なるものを使用していた。
本発明者は、透明合成樹脂フィルムに、先ず透過に必要な最低限の光線透過率を求め、さらに、反射に最低限必要な隠蔽性を前記光線透過率の透明合成樹脂フィルムから求めることにより、透過性と反射性の双方を満足させる光線透過率を有する透明合成樹脂フィルムを確立することにより本発明を完成した。
【特許文献１】特開２００４−６１５２１号公報
【特許文献２】特開２００４−６１５２０号公報
【特許文献３】特開２００１−２４２５４６号公報
【特許文献４】特開平９−１６０１３２号公報
【発明の開示】
【発明が解決しようとする課題】
【０００３】
本発明は、プロジェクタの投影光を反射して映像を形成すると共に、プロジェクタの投影光を透過して映像を形成できるようにした反射型兼透過型液晶プロジェクタ用スクリーンを提供することにある。
【課題を解決するための手段】
【０００４】
本発明反射型兼透過型プロジェクタ用スクリーンは、上記課題を達成するため、第１発明はプロジェクタの正面投影光が透明合成樹脂フィルム製スクリーンの前面に映像できると共に、プロジェクタの背面投影光が前記透明合成樹脂フィルム製スクリーンの前面に映像できるように、前記透明合成樹脂フィルムの光線透過率を下げたものからなるものである。
また、本発明反射型兼透過型プロジェクタ用スクリーンは、上記課題を達成するため、第２発明は、第１発明において、前記透明合成樹脂フィルムの表面表面又は（及び）裏面に微細凹凸面を形成して光線透過率を４０％〜８０％にしたものである。
また、本発明反射型兼透過型プロジェクタ用スクリーンは、上記課題を達成するため、第３発明は、第１発明又は第２発明において、前記透明合成樹脂フィルムの表面又は（及び）裏面に淡色を形成して光線透過率を４０％〜８０％にしたものである。
また、本発明反射型兼透過型プロジェクタ用スクリーンは、上記課題を達成するため、第４発明は、第２発明又は第３発明において、前記透明合成樹脂フィルムの表面又は（及び）裏面に塗布するコーティング液に金属粉粒を混入して光線透過率を４０％〜８０％にしたものである。
さらに、本発明反射型兼透過型プロジェクタ用スクリーンは、上記課題を達成するため、前記透明合成樹脂フィルムの表面又は（及び）裏面に金属粉粒の蒸着をしたのち、微細凹凸面又は淡色を形成して光線透過率を４０％〜８０％にしたものである。
本発明において、透明合成樹脂フィルムの表面又は（及び）裏面に微細凹凸面を形成するためには、透明合成樹脂フィルムの表面又は（及び）裏面に、公知のサンドブラスト法、公知の溶剤処理法のほか、平均粒径２〜１５ミクロンの微細シリカ粉粒、又はビーズその他のマット剤をコーティング液に混入して塗布する公知のマット法などがある。
また、透明合成樹脂フィルムの表面又は（及び）裏面に淡色を形成するためには、淡色透明フィルムを使用するほかグラビア、オフセット、フレキソ等の淡色印刷加工があり、淡色には、白色、灰色、水色などがある。
さらに、金属粉粒の混入したコーティング液の塗布又は金属微粉粒の蒸着は、光線透過率の低下に拘わらず、プロジェクタにより投影された映像の鮮明度を向上させるのに役立つ。
【発明の効果】
【０００５】
本発明反射型兼透過型プロジェクタ用スクリーンは、プロジェクタやスクリーンの設置場所や設置位置、スクリーンの大きさなどに応じて反射型スクリーン又は透過型スクリーンとして使用できる便利さがあり、製作も比較的容易で安価につく利点がある。
【発明を実施するための最良の形態】
【０００６】
本発明反射型兼透過型プロジェクタ用スクリーンは、光線透過率を４０％〜８０％となるように、微細凹凸加工、淡色加工、金属粉混入塗布加工又は金属粉蒸着加工をすることを特徴としている。
【実施例１】
【０００７】
本発明実施例１の反射型兼透過型プロジェクタ用スクリーンは、厚み１００ミクロンの透明ポリエチレンテレフタレートフィルム（以下、透明ＰＥＴフィルムという。）の表面に、平均粒径５ミクロンのシリカを１０％含有するアクリル樹脂系コーティング液を液状体で厚み０．０５ミリメートルに塗布して微細凹凸面を形成し、光線透過率を８０％にした。このＰＥＴフィルムにＨＰｓｂ２１のプロジェクタで投影したところ、スクリーン正面投影、スクリーン背面投影いずれも映像がスクリーンに鮮明に見えた。
【実施例２】
【０００８】
本発明実施例２の反射型兼透過型プロジェクタ用スクリーンは、厚み１００ミクロンの灰色透明ＰＥＴフィルムを使用して、光線透過率を６０％にした。このＰＥＴフィルムにＨＰｓｂ２１のプロジェクタで投影したところ、スクリーン正面投影、スクリーン背面投影いずれも映像がスクリーンに鮮明に見えた。
【実施例３】
【０００９】
本発明実施例３の反射型兼透過型プロジェクタ用スクリーンは、厚み１００ミクロンの透明ＰＥＴフィルムの表面に、サンドブラスト法により微細凹凸面を形成して、平均粒径１ミクロンのアルミニウム粉５％を含有するアクリル樹脂系コーティング液を液状体で厚み０．０５ミリメートルに塗布して微細金属粉粒混入コーティング層を形成し、光線透過率を４５％にした。このＰＥＴフィルムにＨＰｓｂ２１のプロジェクタで投影したところ、スクリーン正面投影、スクリーン背面投影いずれも映像がスクリーンに鮮明に見えた。
【実施例４】
【００１０】
本発明実施例４の反射型兼透過型プロジェクタ用スクリーンは、厚み１００ミクロンの灰色透明ＰＥＴフィルムの表面に、アルミニウムを厚み０．０１ミクロンに蒸着して、いわゆるハーフ蒸着面を形成し、光線透過率を４０％にした。このＰＥＴフィルムにＨＰｓｂ２１のプロジェクタで投影したところ、スクリーン正面投影、スクリーン背面投影いずれも映像がスクリーンに鮮明に見えた。
【産業上の利用可能性】
【００１１】
本発明反射型兼透過型プロジェクタ用スクリーンは、製造容易で量産でき安価に販売できる。